(57)【要約】      （修正有）【課題】軒樋支持具が保持している軒樋を容易に取り外すことが可能な軒樋支持具を提供する。【解決手段】樋支持具本体１０の前部と後部に耳保持部１３，１４を有し、軒樋５の前後に形成された耳部５ａ，５ｂを耳保持部で保持して軒樋を吊り支持する軒樋支持具１において、耳保持部の少なくとも一つには、軒樋の内周面５ｃに近接又は当接する弾性を有する押さえ部１５と、レバー部１６と、耳部が収容される凹所１７とを備えており、レバー部を操作することで、押さえ部を変形させて、耳保持部による耳部の保持が解除される。【選択図】図１
2020090825.tif 000002
【特許請求の範囲】
【請求項１】
樋支持具本体の前部と後部に耳保持部を有し、軒樋の前後に形成された耳部を前記耳保持部で保持して前記軒樋を吊り支持する軒樋支持具において、
前記耳保持部の少なくとも一つには、前記軒樋の内周面に近接又は当接する弾性を有する押さえ部と、レバー部と、前記耳部が収容される凹所とを備えており、
前記レバー部を操作することで、前記押さえ部を変形させて、前記耳保持部による前記耳部の保持が解除されることを特徴とする軒樋支持具。
【請求項２】
請求項１において、
前記レバー部は、前記押さえ部の先端から上方に起立して形成されていることを特徴とする軒樋支持具。
【請求項３】
請求項１において、
前記レバー部は、把持部を備えることを特徴とする軒樋支持具。
【発明の詳細な説明】
【技術分野】
【０００１】
本発明は、樋支持具本体の前部と後部に耳保持部を有し、軒樋の前後に形成された耳部を前記耳保持部で保持して軒樋を吊り支持する軒樋支持具に関する。
【背景技術】
【０００２】
従来より、軒樋を吊り支持する軒樋支持具は、耳保持部に軒樋の耳部が保持されることで、軒樋を吊り下げ支持していた（たとえば、特許文献１）。これにより、軒樋の耳部が耳保持部から脱落することが防止され、軒樋は安定して吊り支持されていた。具体的には、耳保持部は、弾性を有する押さえ部の先端で軒樋の内周面に近接又は当接させることで脱落を防止している。また、軒樋を耳部に取付ける際には、耳部で押さえ部を変形させながら軒樋を持ち上げることで、所定の位置に装着できるようになっている。
【先行技術文献】
【特許文献】
【０００３】
【特許文献１】特開２０１７−１３３２７３号公報
【発明の概要】
【発明が解決しようとする課題】
【０００４】
しかしながら、上記特許文献１のような軒樋支持具では、保持した軒樋を取り外すことについては考慮されていなかった。このような軒樋支持具では、軒樋を取り外すのに例えば、耳保持部から軒樋が抜けるまで左右方向に軒樋をスライドさせる、軒樋を破壊して軒樋支持具から取り外すなど、時間や労力がかかるものであった。
【０００５】
本発明は、このような事情を考慮して提案されたもので、その目的は、軒樋支持具が保持している軒樋を容易に取り外すことが可能な軒樋支持具を提供することにある。
【課題を解決するための手段】
【０００６】
上記目的を達成するために、請求項１に記載の軒樋支持具は、樋支持具本体の前部と後部に耳保持部を有し、軒樋の前後に形成された耳部を前記耳保持部で保持して前記軒樋を吊り支持する軒樋支持具において、前記耳保持部の少なくとも一つには、前記軒樋の内周面に近接又は当接する弾性を有する押さえ部と、レバー部と、前記耳部が収容される凹所とを備えており、前記レバー部を操作することで、前記押さえ部を変形させて、前記耳保持部による前記耳部の保持が解除されることを特徴とする。
【０００７】
請求項２に記載の軒樋支持具は、前記レバー部が、前記押さえ部の先端から上方に起立して形成されていることを特徴とする。
【０００８】
請求項３に記載の軒樋支持具は、前記レバー部が、把持部を備えることを特徴とする。
【発明の効果】
【０００９】
請求項１に記載の軒樋支持具は、上述した構成とされているため、レバー部を操作することで、軒樋支持具が保持している軒樋を容易に取り外すことができる。
【００１０】
請求項２に記載の軒樋支持具は、上述した構成とされているため、レバー部で押さえ部を持ち上げる操作をすることで、押さえ部が変形し、軒樋支持具が保持している軒樋を容易に取り外すことができる。
【００１１】
請求項３に記載の軒樋支持具は、上述した構成とされているため、把持部によってレバー部を操作しやすくなっている。
【図面の簡単な説明】
【００１２】
【図１】本発明の一実施形態に係る軒樋支持具の斜視図である。
【図２】（ａ）は軒樋支持具の側面図、（ｂ）〜（ｅ）は、（ａ）のＸ部を拡大した概略部分側面図であり、（ｂ）、（ｃ）は、軒樋を軒樋支持具に吊り支持させる手順を示した図、（ｄ）、（ｅ）は、軒樋を軒樋支持具から取り外す手順を示した図である。
【図３】（ａ）は、本発明の他の実施形態に係る軒樋支持具の側面図、（ｂ）〜（ｄ）は、変形例に係る軒樋支持具の要部拡大図である。
【発明を実施するための形態】
【００１３】
以下に、本発明の実施の形態について図面に基づいて説明する。まず、図１、図３に示した軒樋支持具１の基本構成について説明する。なお、建築構造物に軒樋支持具を取り付けた状態を基準にして、前後方向（長手方向）、幅方向（建築構造物に対する見付の方向と一致する方向）、上下方向等を規定する。また、一部の図では、他図に付している詳細な符号の一部を省略している。
【００１４】
図１、図３の軒樋支持具１は、樋支持具本体１０の前部と後部に耳保持部１３，１４を有し、軒樋５の前後に形成された耳部５ａ，５ｂを耳保持部１３，１４で保持して軒樋５を吊り支持する。耳保持部１３，１４の少なくとも一つには、軒樋５の内周面５ｃに近接又は当接する弾性を有する押さえ部１５と、レバー部１６と、耳部が収容される凹所１７とを備えている。レバー部１６を操作することで、押さえ部１５を変形させて、耳保持部１３，１４による耳部５ａ，５ｂの保持が解除される。以下、図１について詳しく説明する。
【００１５】
軒樋支持具１は、建築構造物６に固定される吊具であり、建築構造物６の軒先等に固定部材３０を介して固定される。固定部材３０はステンレス等の板状の金属材料からなり、建築構造物６に固定させるための固着具７が挿通される挿通孔３１が複数開設されている。固定部材３０の上端３０ａから別体で形成された長板状の取付足部２０が前方に延びて形成され、取付足部２０に樋支持具本体１０が前後方向にスライド自在に連結されている。
【００１６】
樋支持具本体１０は、金属材を長尺状に加工して形成された本体部１１を備え、その幅方向の中央には長手方向に延びる長孔１２が開設されている。本体部１１の前後両端には、図１に示したような軒樋５を吊り下げ支持するための耳保持部１３，１４を有している。このうち、軒樋５の後耳となる耳部５ｂを保持する耳保持部１４について詳しく説明する。
【００１７】
図２（ａ）に示すように、耳保持部１４は、樋支持具本体１０の後ろ側に形成されており、押さえ部１５とレバー部１６と凹所１７とを備えている。押さえ部１５は、本体部１１とは別体で形成されており、薄板状の金属板を折り曲げ加工して上板部１５ａと下板部１５ｂを有する略Ｃ字状に形成され、その厚みは本体部１１を形成する金属材よりも薄い。押さえ部１５の上板部１５ａがリベット止めや溶接等で本体部１１に固着され、下板部１５ｂには、軒樋５に近接又は当接する先端１５ｂａを有する。
【００１８】
レバー部１６は、押さえ部１５の先端１５ｂａから上方に起立して形成されている。具体的には、押さえ部１５の先端１５ｂａの幅方向の両端面からそれぞれ上方に起立して形成されている。つまり本実施形態では、耳保持部１４は、レバー部１６を２つ備えている。レバー部１６は、棒状に形成され、その上端部１６ａは取付足部２０よりも上方に位置する。これにより、レバー部１６の操作を行いやすくなっている。レバー部１６は押さえ部１５と一体に形成されてもよく、押さえ部１５と別体に形成し溶接等で固着させてもよい。また、本実施形態では、レバー部１６は押さえ部１５の幅方向の両端面からそれぞれ形成されているが、どちらか一方のみに形成されてもよく、また、形成される箇所も幅方向の端面に限定されることはない。
【００１９】
凹所１７は、本体部１１の端部を折り曲げ加工して形成されている。本体部１１の後端部１１ｂから下方に延びて折曲部１７ａが形成され、折曲部１７ａの下端部１７ａａから前方に延びて耳載置部１７ｂが形成される。折曲部１７ａと耳載置部１７ｂとにより凹所１７が構成されている。そして、耳載置部１７ｂの前端部１７ｂａから下方に延びて垂下片１８が形成されており、垂下片１８は、耳部５ｂを耳保持部１４に保持させる際のガイドとなる。
【００２０】
上述した押さえ部１５を本体部１１にリベット止めや溶接等で固着させることで、耳保持部１４は押さえ部１５、レバー部１６、凹所１７を備えた耳保持部１４が構成される。なお、押さえ部１５、レバー部１６、凹所１７の形状や構成は、上述したものに限定されることはない。
【００２１】
取付足部２０は、図１に示すように、板状の金属材料を折曲加工して形成されており、前方に段落ち形成されている。取付足部２０は、樋支持具本体１０の長孔１２を介して、ロック部材４と連結されている。これにより、軒樋支持具１は、樋支持具本体１０を前後方向の所望の位置にスライドさせて固定させるスライド手段を有する。なお、軒樋支持具１はスライド手段を有していなくてもよい。
【００２２】
上述のようにして軒樋支持具１は構成される。
次に、この軒樋支持具１に軒樋５を吊り支持させる方法について、図２（ｂ）、（ｃ）を参照して説明する。
【００２３】
軒樋支持具１は、固定部材３０の挿通孔３１を介して固着具７により建築構造物６に固定される。この軒樋支持具１の耳保持部１３に軒樋５の前側の耳部５ａを係止させ、耳保持部１３を軸にして軒樋５を後方に回動させる。このとき、軒樋５の後ろ側の耳部５ｂは、その先端５ｂａが下方より垂下片１８に沿って押さえ部１５に到達する。そして、図２（ｂ）に示すように、軒樋５を持ち上げるようにして、耳部５ｂにより押さえ部１５を弾性変形させる。これにより、耳部５ｂは、耳保持部１４内に到達する。そして、押さえ部１５が初期状態に弾性復帰し、耳部５ｂは出口を塞いだ状態で凹所１７に収容される。軒樋５を押し込む力が解除されると、軒樋５は自然落下し、耳載置部１７ｂに耳部５ｂが載置され、押さえ部１５が軒樋５の内周面５ｃに近接又は当接した状態となる（図２（ｃ）参照）。これにより軒樋５は所定の位置に装着され、軒樋支持具１に吊り支持された状態となる。
【００２４】
次に、軒樋５を軒樋支持具１から取り外す方法について図２（ｄ）、（ｅ）を参照して説明する。
【００２５】
図２（ｄ）に示すように、レバー部１６を前方に倒すか、斜め前方に引っ張ることで、押さえ部１５がそれに伴い弾性変形し、押さえ部１５が軒樋５の内周面５ｃに近接又は当接した状態が解除される。これにより、耳保持部１４による耳部５ｂの保持が解除され、耳部５ｂが通り抜けるための挿通路ｓが形成される。そして、耳部５ｂを挿通路ｓを介して取り外し、軒樋５を軒樋支持具１から取り外すことができる（図２（ｅ）参照）。
【００２６】
次に軒樋支持具１の他の実施形態について、図３（ａ）を参照して説明する。なお、図１の軒樋支持具１と共通する部分には、可能な限り同一の符号を付し、その構成及び機能等についての説明は省略する。
【００２７】
図３（ａ）は、樋支持具本体１０の前側の耳保持部１３が、後ろ側の耳保持部１４と同様に、押さえ部１５、レバー部１６、凹所１７とにより構成されている。前側の耳保持部１３の凹所１７は、本体部１１の端部を折り曲げ加工して形成されている。本体部１１の前端部１１ａから下方に延びて折曲部１７ａが形成され、折曲部１７ａの下端部１７ａａから後方に延びて耳載置部１７ｂが形成される。折曲部１７ａと耳載置部１７ｂとにより凹所１７が形成されている。なお、耳保持部１３には、後ろ側の耳保持部１４とは異なり、垂下片１８が形成されていないが、形成されていてもよい。前側の耳保持部１３の押さえ部１５、レバー部１６は、後ろ側の耳保持部１４の押さえ部１５、レバー部１６と同様に構成されている。また、図３（ａ）と同様の耳保持構造である折板屋根に取付ける吊りボルト式の軒樋支持具にも同様のレバー部が適用可能である。
【００２８】
次に軒樋支持具１の変形例について図３（ｂ）〜（ｄ）を参照して説明する。
図３（ｂ）〜（ｄ）に示した各変形例では、レバー部１６が、把持部１９を備えている。把持部１９は、レバー部１６を操作する際の取っ手となるので、レバー部１６の操作が行いやすくなる。その他の構成については、図１の軒樋支持具１と同様である。
【００２９】
図３（ｂ）の変形例では、図で示されているように、把持部１９はレバー部１６と一体形成されており、レバー部１６の上端部１６ａから前方に延びて、把持部１９が形成されている。
図３（ｃ）の変形例では、図で示されているように、レバー部１６の上端部１６ａに球状又は楕円体の把持部１９が形成されている。
図３（ｄ）の変形例では、図で示されているように、レバー部１６，１６の上端部１６ａ，１６ａ間をつなぐように把持部１９が形成されている。
図３（ｂ）〜（ｄ）では、把持部１９によって、レバー部１６を前方に引っ張るだけでなく、上方に持ち上げるようにした操作ができる。
【００３０】
上述した軒樋支持具１の形状や構成は、図例や説明したものに限定されることはない。たとえば、レバー部は棒状に限定されることはなく板状であってもよい。また、把持部も上述した形状に限定されることはない。また、軒樋支持具の各部材の材質も上述したものに限定されることはなく、金属材料以外の樹脂材料であってもよい。さらにレバー部や把持部がゴム等の樹脂材で覆われる態様であってもよい。
【００３１】
押さえ部も上述したものに限定されることはなく、例えば硬質なゴム等の金属製以外の板材で形成されてもよく、針金等の弾性を有する線状材を折曲して形成されてもよい。
【符号の説明】
【００３２】
１              軒樋支持具
５              軒樋
５ａ，５ｂ      耳部
５ｃ            内周面
１０            樋支持具本体
１３，１４      耳保持部
１５            押さえ部
１６            レバー部
１７            凹所
１９            把持部
【図１】
2020090825.tif 000003
【図２】
2020090825.tif 000004
【図３】
2020090825.tif 000005